(57)【要約】【課題】  本発明は、作業員の感電を防止することができる鳥害防止装置のとまり台及び鳥害防止装置を提供する。【解決手段】  本発明は、高所に設置される鳥害防止装置のとまり台において、基部と該基部から上方に突出した少なくとも一つの突出部であって、第１の電位にされる導電性の突出部とを有する台座と、該台座の上方に設置され第１の電位とは異なる第２の電位にされるとまり部材であって、突出部の突出位置に合わせて上下方向に貫通する少なくとも一つの貫通孔を有するとまり部材と、突出部の先端をとまり部材から露出しないように台座に対してとまり部材を上方に付勢する付勢部材であって、とまり部材に鳥がとまることに伴って貫通孔から突出部を露出させるようにとまり部材の位置を押し下げ可能に付勢する付勢部材とを備えることを特徴とする。【選択図】図１
2016123180.tif 000002
【特許請求の範囲】
【請求項１】
高所に設置される鳥害防止装置のとまり台において、
基部と該基部から上方に突出した少なくとも一つの突出部であって、第１の電位にされる導電性の突出部とを有する台座と、
該台座の上方に設置され第１の電位とは異なる第２の電位にされるとまり部材であって、前記突出部の突出位置に合わせて上下方向に貫通する少なくとも一つの貫通孔を有するとまり部材と、
前記突出部の先端を前記とまり部材から露出しないように前記台座に対して前記とまり部材を上方に付勢する付勢部材であって、前記とまり部材に鳥がとまることに伴って前記貫通孔から前記突出部を露出させるように前記とまり部材の位置を押し下げ可能に付勢する付勢部材と
を備えることを特徴とする鳥害防止装置のとまり台。
【請求項２】
前記基部は、導電性材料で前記突出部と一体成型される請求項１に記載の鳥害防止装置のとまり台。
【請求項３】
高所に設置される鳥害防止装置において、
高電圧発生装置と、
請求項１又は請求項２に記載された鳥害防止装置のとまり台と
を備え、
前記とまり台の前記突出部及び前記とまり部材のいずれか一方は前記高電圧発生装置に接続され、他方はアース接地されることを特徴とする鳥害防止装置。
【発明の詳細な説明】
【技術分野】
【０００１】
本発明は、高所に鳥が営巣することを防止する鳥害防止装置のとまり台及び鳥害防止装置に関する。
【背景技術】
【０００２】
従来、鉄塔の高所部分等の高所に鳥が営巣することを防止する装置として、鳥害防止装置が知られている（例えば、特許文献１参照）。この種の鳥害防止装置には、回転可能に支持されたとまり部材と、該とまり部材の外周面に所定間隔をおいて取り付けられた電極と、該電極間に高電圧をかけるための高電圧発生装置と、とまり部材の回転によって高電圧発生装置を作動させるスイッチ装置とを備えたものがある。
【０００３】
この種の鳥害防止装置では、とまり部材に鳥がとまることで、少なくとも２つの電極上に鳥の足が載った状態になる。つまり、２つの電極は、鳥を介して電気的に接続された状態になる。そして、とまり部材は、回転することで、高電圧発生装置を作動させるスイッチ装置を動作させる。すると、高電圧発生装置から各電極間に高電圧が印加され、鳥の足を介して電極間に電流が流れる。これにより、この種の鳥害防止装置は、鳥がその場に留まって営巣することを防止している。
【０００４】
ところで、この種の鳥害防止装置では、とまり部材に取り付けられた電極がとまり部材表面で常に露出した状態にある。そのため、この種の鳥害防止装置において、作業員が誤って露出する電極に触れてしまうことがある。電極に高電圧発生装置が接続されている状態で、作業員が誤って電極に触れてスイッチ装置が動作すると、感電する虞がある。
【先行技術文献】
【特許文献】
【０００５】
【特許文献１】特開平  ８−２５６６６５号公報
【発明の概要】
【発明が解決しようとする課題】
【０００６】
そこで、本発明は、かかる事情に鑑み、作業員の感電を防止することができる鳥害防止装置のとまり台及び鳥害防止装置を提供することを課題とする。
【課題を解決するための手段】
【０００７】
本発明に係る鳥害防止装置のとまり台は、高所に設置される鳥害防止装置のとまり台において、基部と該基部から上方に突出した少なくとも一つの突出部であって、第１の電位にされる導電性の突出部とを有する台座と、該台座の上方に設置され第１の電位とは異なる第２の電位にされるとまり部材であって、突出部の突出位置に合わせて上下方向に貫通する少なくとも一つの貫通孔を有するとまり部材と、突出部の先端をとまり部材から露出しないように台座に対してとまり部材を上方に付勢する付勢部材であって、とまり部材に鳥がとまることに伴って貫通孔から突出部を露出させるようにとまり部材の位置を押し下げ可能に付勢する付勢部材とを備えることを特徴とする。ここで、第１の電位及び第２の電位のいずれか一方は、アース電位（電位０）も含む。
【０００８】
このような構成において、前提として、鳥害防止装置のとまり台は、例えば、鉄塔の高所部分やビルの屋上等の高所に設置される。上記構成の鳥害防止装置において、とまり台に鳥がとまっていない状態では、とまり部材には荷重がかかっていない。そのため、付勢部材の付勢によりとまり部材が押し上げられた状態におかれ、突出部は、とまり部材の貫通孔から突出して、とまり部材の上方に露出しない。このように、突出部がとまり部材の上方に露出しないことで、作業員が電位差のあるとまり部材と突出部とに誤って接触してしまうことがなく、感電を防止することができる。
【０００９】
これに対し、設置されたとまり台のとまり部材に鳥がとまると、とまり部材は、付勢部材の付勢に抗して押し下げられ、台座の突出部がとまり部材の貫通孔から突出して、とまり部材の上方に露出する。このように露出した突出部は、とまり部材にとまっている鳥の足に接触する。ここで、とまり部材は第１の電位にされ、突出部は第１の電位とは異なる第２の電位にされることで、とまり部材及び突出部の間には電位差が生じる。したがって、とまり部材及び突出部が鳥の足に接触することで、とまり部材と突出部とが鳥の足を介して電気的に接続されて、鳥に対して電流が流れる。すると、鳥はこの電流に驚き、その場に留まることなく飛び去る。これにより、鳥による営巣等による鳥害（短絡事故や地絡事故等）を防止できる。
【００１０】
また、本発明に係る鳥害防止装置のとまり台の一態様として、基部は、導電性材料で突出部と一体成型される。
【００１１】
このような構成において、基部及び突出部が導電性材料で一体成型されるので、突出部のみを導電性材料で成型する場合に比べ、より容易に台座を作製することができる。
【００１２】
また、本発明に係る鳥害防止装置は、高所に設置される鳥害防止装置において、高電圧発生装置と、上記何れかの鳥害防止装置のとまり台とを備え、とまり台の突出部及びとまり部材のいずれか一方は高電圧発生装置に接続され、他方はアース接地されることを特徴とする。
【００１３】
このような構成において、前提として、鳥害防止装置のとまり台は、高電圧発生装置に電気的に接続され、例えば、鉄塔の高所部分やビルの屋上等の高所に設置される。このような鳥害防止装置のとまり台に鳥がとまっていない際には、とまり部材には荷重がかかっていない。そのため、付勢部材の付勢によりとまり部材が台座の基部から離間した状態（押し上げられた状態）におかれ、突出部は、とまり部材の貫通孔から突出して、とまり部材の上方に露出しない。このように、突出部がとまり部材の上方に露出しないことで、作業員がとまり部材と突出部とに誤って接触してしまうことを防止できる。これにより、作業員の感電を防止することができる。
【００１４】
これに対し、設置されたとまり台のとまり部材に鳥がとまることで、とまり部材は、付勢部材の付勢に抗して、台座の基部に向けて押し下げられ、台座の突出部がとまり部材の貫通孔から突出して、とまり部材の上方に露出する。このように露出した突出部は、とまり部材にとまっている鳥の足に接触する。ここで、とまり台の突出部及びとまり部材のいずれか一方が高電圧発生装置に接続され、他方がアース接地されていることで、とまり部材は第１の電位にされ、突出部は第１の電位とは異なる第２の電位にされる。これにより、とまり部材と突出部との間には高い電位差が生じる。このようなとまり部材と突出部とが鳥の足に接触することで、とまり部材と突出部との間が鳥の足を介して電気的に接続されて、鳥に対して高電圧発生装置から電流が流れる。すると、鳥はこの電流に驚き、その場に留まることなく飛び去る。これにより、鳥による営巣等による短絡事故や地絡事故等の鳥害を防止できる。
【発明の効果】
【００１５】
以上の如く、本発明に係る鳥害防止装置のとまり台及び鳥害防止装置によれば、作業員の感電を防止することができるという優れた効果を奏する。
【図面の簡単な説明】
【００１６】
【図１】図１は、本実施形態に係る鳥害防止装置の概略構成図を示す。
【図２】図２は、とまり台の概略上面図を示す。
【図３】図３は、高所に設置された鳥害防止装置に鳥がとまった際の概略側面図を示す。
【発明を実施するための形態】
【００１７】
本発明に係る鳥害防止装置のとまり台及び鳥害防止装置の一実施形態について、図１乃至図３を参照して説明する。
【００１８】
図１に示すように、鳥害防止装置１は、鉄塔１００の高所部分などの高所に設置される。鳥害防止装置１は、高電圧発生装置１０と、とまり台２０（鳥害防止装置１用のとまり台２０）とを備える。
【００１９】
高電圧発生装置１０は、風Ｗを受けて回転する風車１１と、風車１１の回転が伝えられる第１の歯車１２と、該第１の歯車１２の回転により付勢されるバネを収容したバネ装置１３であって、付勢力を蓄えたバネを開放可能なバネ装置１３と、該バネ装置１３のバネの付勢力で回転する第２の歯車１５と、該第２の歯車１５に噛合する第３の歯車１６と、該第３の歯車１６の回転力により発電可能な発電機１７と、該発電機１７により発電された電力を昇圧する昇圧回路１８とを備える。
【００２０】
風車１１は、羽根（採番しない）と回転軸（採番しない）とを有する。風車１１は、風Ｗを受けて回転するように羽根の位置を調整して設置される。風車１１の回転軸には、歯車（採番しない）が取り付けられており、該歯車は、第１の歯車１２に噛合され、回転力を第１の歯車１２に伝える。
【００２１】
第１の歯車１２は、風車１１の歯車から受けた回転力によって回転し、バネ装置１３に回転力を伝える。
【００２２】
本実施形態では、バネ装置１３は、バネとして、ねじりバネ（図示しない）を有する。これに伴い、バネ装置１３は、トルクリミッタ（図示しない）と、ワンウェイ機構（図示しない）とを有する。
【００２３】
トルクリミッタは、ねじりバネのねじり方向（以下、第１の方向とする）への回転力をワンウェイ機構に伝える。トルクリミッタは、ねじりバネに対する付勢力（回転力）が規定値まで到達すると、その規定値以上のねじりバネのねじりを停止すべく、回転力をワンウェイ機構に伝えないようになっている。また、トルクリミッタは、ワンウェイ機構側から入力されるねじりを開放する方向（以下、第２の方向とする）の回転力を第２の歯車１５へ伝達しないようになっている。
【００２４】
ワンウェイ機構は、ギヤ（図示しない）と、該ギヤに噛合するツメ（図示しない）とを有する。ギヤにツメが噛合することで、ワンウェイ機構は、第１の方向の回転力を許容し、第２の方向の回転力を規制するようになっている。そして、ワンウェイ機構は、とまり台２０に鳥がとまることでギヤとツメとの噛合を解除するように構成されている。具体的には、ワンウェイ機構には、ツメととまり部材２４とを繋ぐ紐又はロープ等のスイッチ装置１４が設けられている。ワンウェイ機構は、とまり台２０に鳥２００がとまることで、とまり部材２４を台座２２側に押し下げる方向に荷重が加わり、とまり部材２４が台座２２側に押し下げられて、とまり部材２４に繋がれた紐又はロープが引っ張られて、紐又はロープによって機械的に接続されたツメがギヤから引き離され、ギヤとツメとの噛合が解除されるようになっている。ギヤとツメとの噛合が解除されることで、ワンウェイ機構は、第２の方向の回転力を第２の歯車１５に伝えることが可能になっている。
【００２５】
第２の歯車１５は、バネ装置１３のギヤとツメとの噛合の解除により、ねじりバネのねじりの開放を受けて回転し、回転力を第３の歯車１６に伝える。
【００２６】
第３の歯車１６は、発電機１７の軸に接続される。第３の歯車１６は、第２の歯車１５の回転力を発電機１７の軸に伝える。
【００２７】
発電機１７は、第３の歯車１６の回転力により発電可能に構成されている。発電機１７は、発電した電力を昇圧回路１８に供給可能に構成されている。
【００２８】
昇圧回路１８は、例えば、昇圧チョッパ回路である。昇圧回路１８は、発電機１７から供給された電力を昇圧して、とまり台２０に供給する。
【００２９】
図１乃至図３に示すように、とまり台２０は、基部２５と該基部２５から上方に突出した少なくとも一つの突出部２６であって、第１の電位にされる導電性の突出部２６を有する台座２２と、該台座２２の上方に設置され第１の電位とは異なる第２の電位にされるとまり部材２４であって、突出部２６の突出位置に合わせて上下方向に貫通する少なくとも一つの貫通孔２７を有するとまり部材２４と、突出部２６の先端をとまり部材２４から露出しないように台座２２に対してとまり部材２４を上方に付勢する付勢部材２３であって、とまり部材２４に鳥２００がとまることに伴って貫通孔２７から突出部２６を露出させるようにとまり部材２４の位置を押し下げ可能に付勢する付勢部材２３とを有する。また、とまり台２０は、鉄塔１００及び台座２２の間を絶縁する脚体２１を有する。
【００３０】
基部２５は、導電性材料で突出部２６と一体成型される。本実施形態において、基部２５は、板状に形成されており、図２及び図３に示すように、突出部２６は、基部２５の上方を向く面から複数突出して形成されている。図１に示すように、基部２５は、脚体２１を介して鉄塔１００上に載置される。基部２５が高電圧発生装置１０に接続されることで、基部２５には、第１の電位をもち得る。
【００３１】
突出部２６は、例えば金属などの剛性材料であり、導電性材料で形成されている。突出部２６は、とまり部材２４を貫通して先端をとまり部材２４の上面に露出可能なように、とまり部材２４の上下方向の厚さよりも長い突出量で形成されている。突出部２６が高電圧発生装置１０に接続されることで、突出部２６には、基部２５と同様に、第１の電位をもち得る。本実施形態において、突出部２６は、図２に示すように、複数個で一列に配置される。とまり部材２４が台座２２に向けて押し下げられることで、一列に配列された突出部２６の先端部が、とまり部材２４の上面に露出するように構成されている。
【００３２】
とまり部材２４は、導電性材料で形成される。とまり部材２４が高電圧発生装置１０に接続されることで、とまり部材２４には、第１の電位とは異なる第２の電位をもち得る。本実施形態において、とまり部材２４は板状に形成され、突出部２６の位置に合わせて上下方向に貫通する複数の貫通孔２７を有している。該貫通孔２７は、突出部２６の径に対して接触しない程度に十分な大きさの径で構成される。これにより、とまり部材２４が基部２５に押し下げられて突出部２６をとまり部材２４の上面に露出する際に、とまり部材２４は、突出部２６と接触しない。したがって、とまり部材２４及び突出部２６が接触して短絡することを防止できる。また、とまり部材２４は、バネ装置１３に接続されており、鳥２００がとまって、荷重が加わることにより基部２５に向けて押し下げられた際に、バネ装置１３のツメとギヤとの噛合を解除することが可能になっている。
【００３３】
付勢部材２３は、絶縁材料で形成され、基部２５及びとまり部材２４の間に設置される。付勢部材２３は、基部２５の上面に対してとまり部材２４を押し上げるようにとまり部材２４を付勢する。より具体的には、付勢部材２３は、突出部２６の先端をとまり部材２４の貫通孔２７からとまり部材２４の上面に露出しない程度に基部２５からとまり部材２４を押し上げた状態に付勢する。そして、付勢部材２３は、とまり部材２４に鳥２００がとまることにより、とまり部材２４に加わる鳥２００の荷重に応じてとまり部材２４を付勢し、突出部２６の先端をとまり部材２４の貫通孔２７からとまり部材２４の上面に露出するようにとまり部材２４を押し下げ可能になっている。
【００３４】
脚体２１は、絶縁材料で形成され、台座２２の下面と鉄塔１００との間に配置される。脚体２１は、絶縁材料で形成されていることで、鉄塔１００及び台座２２の間の絶縁を確保している。
【００３５】
本実施形態に関する鳥害防止装置１のとまり台２０及び鳥害防止装置１の構成は以上であり、次に、本実施形態における鳥害防止装置１のとまり台２０及び鳥害防止装置１の作用を図１乃至図３を参照して説明する。
【００３６】
図１に示すように、鳥害防止装置１は、鉄塔１００の高所部分に配置される。具体的には、とまり台２０は、鉄塔１００の高所部分に載置され、高電圧発生装置１０は、とまり台２０に電気的に接続されて、風Ｗを風車１１に受けることができるように配置される。これにより、バネ装置１３のねじりバネは、第１の歯車１２の回転力によりねじられる。一方で、バネ装置１３のねじりバネは、ギヤとツメとの噛合により、蓄えられたねじりバネのねじりを開放しないようになっている。そして、とまり部材２４及びバネ装置１３は、とまり部材２４の台座２２に向けて押し下げられることによって、バネ装置１３のギヤとツメとの噛合を解除可能に接続される。
【００３７】
とまり台２０が鉄塔１００の高所部分に載置される際、とまり部材２４は、付勢部材２３により、上方に突出部２６を露出しない状態で台座２２から上方に向けて付勢される。これにより、突出部２６がとまり部材２４から露出しないので、とまり台２０が高電圧発生装置１０に接続されている状態で、作業員がとまり部材２４と突出部２６とに触れてしまうことを防止することができる。したがって、作業員が高電圧発生装置１０から供給される高電圧の電気により感電する事故を防止することができる。
【００３８】
鉄塔１００に飛来した鳥２００がとまり部材２４の露出した表面にとまることで、とまり部材２４は、付勢部材２３の付勢力に抗して、台座２２に向けて押し下げられる。とまり部材２４が台座２２に向けて押し下げられることで、突出部２６の先端部は、とまり部材２４の貫通孔２７を通って、とまり部材２４の上面から露出する。そして、突出部２６の先端は、図３に示すように、とまり部材２４にとまっている鳥２００の足２０１に接触する。
【００３９】
また、とまり部材２４が押し下げられることによりバネ装置１３のギヤとツメとの噛合を解除する。具体的には、とまり部材２４が押し下げられることに伴ってバネ装置１３に接続される紐やワイヤ等が引っ張られ、バネ装置１３のギヤとツメとの噛合が解除される。第３の歯車１６は、ギヤとツメとの噛合を解除されたねじりバネのねじりにより回転し、発電機１７は、この回転により発電を開始する。昇圧回路１８は、発電機１７により発電された電力を昇圧して、台座２２（基部２５及び突出部２６）に第１の電位を付与し、とまり部材２４に第１の電位とは異なる第２の電位を付与する。
【００４０】
鳥２００の足２０１は、上記のようにとまり部材２４に載っており、突出部２６の先端に接触することで、とまり部材２４及び突出部２６を電気的に接続する。昇圧回路１８が突出部２６を第１の電位にし、とまり部材２４を第１の電位とは異なる高い第２の電位にすることから、突出部２６及びとまり部材２４の間には、鳥２００の足２０１を介して高電圧の電気が流れる。これにより、鳥害防止装置１は、鳥２００を驚かすことができ、鳥２００による営巣を防止することができるので、鳥害（短絡事故や地絡事故等）を未然に防止することができる。
【００４１】
なお、鳥害防止装置１のとまり台２０及び鳥害防止装置１に対して、以下のような変形例が考えられる。
【００４２】
例えば、本実施形態に係る鳥害防止装置１のとまり台２０及び鳥害防止装置１では、第２の電位は、第１の電位とは異なる電位であるとした。ここで、第１の電位及び第２の電位のいずれか一方は、アース電位であることも含まれ、台座２２（特に、とまり台の突出部２６）及びとまり部材２４のいずれか一方は、高電圧発生装置に接続され、他方は、（鉄塔１００と）アース接地されていてもよい。これにより、台座２２及びとまり部材２４のいずれもが高電圧発生装置１０に接続されている場合に比べ、配線を少なくすることができ、高所で作業することになる鳥害防止装置１の設置作業及び撤去作業をより容易にすることができる。
【００４３】
また、本実施形態に係る鳥害防止装置１のとまり台２０及び鳥害防止装置１では、とまり部材２４を板状体として説明したが、これに限定されない。例えば、とまり部材２４は、円柱状や、台形状等の種々の形状であってよい。具体的には、とまり部材２４は、突出部２６を露出可能な貫通孔２７を上下方向に備え、鳥２００がとまれる形状であれば、どのような形状であってもよい。また、とまり部材２４は、複数の柱状体や複数の板体を並設したものであってよく、突出部２６は、複数の柱状体や複数の板体の間から露出するような構成であってもよい。なお、とまり部材２４は、台座２２を覆うように形成されていることが好ましい。
【００４４】
また、本実施形態に係る鳥害防止装置１のとまり台２０及び鳥害防止装置１では、基部２５及び突出部２６が導電性材料で一体成型されるとしたが、基部２５を絶縁材料で形成し、突出部２６を導電性材料で形成してもよい。そして、高電圧発生装置１０は、突出部２６に接続されて、突出部２６のみに第１の電位を付与するとしてもよい。これにより、基部２５が絶縁されていることで、基部２５及びとまり部材２４に作業員が触れることにより感電することをより効果的に防止できる。なお、さらなる変形例として、台座２２は、基部２５及び突出部２６を導電性材料で成型した上で、基部２５の部分を被覆する絶縁部材をさらに有してもよい。絶縁部材は、例えばゴム等が考えられる。このようにすることでも、基部２５及びとまり部材２４に作業員が触れることにより感電することをより効果的に防止できる。
【００４５】
また、本実施形態に係る鳥害防止装置１のとまり台２０及び鳥害防止装置１では、複数の突出部２６を、基部２５上に一列に配列した形態で説明したが、これに限定されない。例えば、とまり部材２４にとまった鳥２００の足２０１に突出部２６が確実に接触するのであれば、一つであってもよく、格子状に配列されてもよい。また、突出部２６の位置についても、基部２５の端部に配列する形態など、種々の形態が考えられる。そして、図２に示すように、貫通孔２７は、突出部２６に一対一で対応するように設けられるとして説明されたが、これに限らず、より大きな径を有する一つの貫通孔２７が、複数の突出部２６を露出させるような構成であってもよい。
【００４６】
また、本実施形態に係る鳥害防止装置１のとまり台２０及び鳥害防止装置１では、鉄塔１００の高所部分に一つのとまり台２０を設置する例で説明したが、これに限定されない。例えば、とまり台２０を並設して、直列又は並列で高電圧発生装置１０と複数のとまり台２０とを電気的に接続するような構成も考えられる。この場合に、いずれか一つのとまり台２０に鳥２００が載ることで、スイッチ装置１４が作動するような構成が考えられる。このようにすることで、基部２５の上方面の面積に対して鉄塔１００の高所部分が広い場合であっても、鳥害防止装置１で鉄塔１００の高所部分に鳥２００がとまらないように有効に活用することができる。
【００４７】
また、本実施形態に係る鳥害防止装置１のとまり台２０及び鳥害防止装置１では、高所として鉄塔１００の高所部分を例として説明したが、これに限定されない。例えば、ビルの屋上や、電柱の高所構造物上、マンションのバルコニー等、鳥２００が営巣することで弊害があるような場所に用いることができる。
【００４８】
また、本実施形態に係る鳥害防止装置１は、発電機１７に変えて、バネ装置１３に収容されたねじりバネの付勢力により発電する圧電装置を有してもよい。この場合、鳥害防止装置１は、昇圧回路１８を設けずともよい。
【符号の説明】
【００４９】
１…鳥害防止装置、１０…高電圧発生装置、１１…風車、１２…第１の歯車、１３…バネ装置、１４…スイッチ装置、１５…第２の歯車、１６…第３の歯車、１７…発電機、１８…昇圧回路、２０…とまり台、２１…脚体、２２…台座、２３…付勢部材、２４…とまり部材、２５…基部、２６…突出部、２７…貫通孔、１００…鉄塔、２００…鳥、２０１…足、Ｗ…風
【図１】
2016123180.tif 000003
【図２】
2016123180.tif 000004
【図３】
2016123180.tif 000005